(57)【要約】【課題】湾曲ガラスに用いられるウインドレギュレータのキャリアプレートであって、湾曲ガラスの取り付けが容易なキャリアプレートを提供する。【解決手段】キャリアプレートの配置を湾曲ガラスの軌道上に保持させるため、キャリアプレートに対して垂直に延びる支持脚１８を突出させた支持状態と、キャリアプレートの上下移動の邪魔にならないようその支持脚１８をキャリアプレートに対して平行にした収納状態とを呈することができる支持部１１を有するキャリアプレート１０。【選択図】図１
2011074684.tif 000002
【特許請求の範囲】
【請求項１】
ウインドレギュレータに用いられ、湾曲ガラスを支持するキャリアプレートであって、
板状の基板と、その基板表面に設けられた支持部とを備えており、
前記支持部は、前記基板に対して突出した状態で維持される支持脚と、その支持脚を基板と連結させるジョイントとからなり、
前記支持脚は、前記基板に対して突出した状態で維持される支持状態と、キャリアプレートの上下移動の邪魔にならないよう収容される収容状態とを呈する、
キャリアプレート。
【請求項２】
前記支持脚が前記ジョイントに対して回動自在に構成されており、
前記収容状態は前記支持脚が前記基板に対して平行の状態である、
請求項１記載のキャリアプレート。
【請求項３】
前記支持脚が伸縮自在に構成されており、
前記支持状態は前記支持脚がジョイントから突出した状態であり、
前記収容状態は前記支持脚がジョイント内に収納された状態である、
請求項１記載のキャリアプレート。
【請求項４】
前記支持部が基板の下部表面に設けられている、請求項１記載のキャリアプレート。
【請求項５】
湾曲ガラスの上下移動を支持するウインドレギュレータに用いられるキャリアプレートと、モジュールプレートあるいはインナーパネルとからなる湾曲ガラスの取り付け構造であって、
請求項２記載のキャリアプレートと、
モジュールプレートあるいはインナーパネルとからなり、
前記モジュールプレートあるいはインナーパネルが、前記支持脚の先端と脱着自在に係合し、かつ、支持状態の支持脚の上方向または下方向への移動を拘束する係合部を備えている、取り付け構造。
【発明の詳細な説明】
【技術分野】
【０００１】
本発明は、キャリアプレートおよびそれを用いた湾曲ガラスの取り付け構造に関する。詳しくは、ウインドレギュレータに用いられ、湾曲ガラスを支持するキャリアプレートおよびそれを用いた湾曲ガラスの取り付け構造に関する。
【背景技術】
【０００２】
近年、自動車の窓ガラスとしては、外力に対する強度を保つこと、デザインの向上を目的に、外向きに凸となるように上下方向に湾曲した湾曲ガラスが用いられている。また、このような湾曲ガラスを上下に駆動するためには、一般的にケーブルを用いたウインドレギュレータが用いられている。
【０００３】
この湾曲ガラスとケーブル式のウインドレギュレータとの連結は、予めドアパネルに取り付けられたウインドレギュレータに湾曲ガラスを組み付けることにより行われる。つまり、湾曲ガラスをドア上端の開口から湾曲したガラスランに沿ってドア内に下ろし、ウインドレギュレータのキャリアプレートと結合させる。
しかし、この場合、ウインドレギュレータのケーブルガイド間に張られたケーブルに取り付けられたキャリアプレートは、湾曲ガラスが上下に移動するときの湾曲ガラスの取付部（例えば、ガラスホルダーまたは湾曲ガラスの下端）の湾曲した軌道内には位置しない。そのため、湾曲ガラスを下降させると同時に、キャリアプレートの位置決めを行わなければならず、湾曲ガラスの取り付け作業が煩雑になるという問題がある。
【０００４】
このような問題に対して、キャリアプレートを湾曲ガラスの軌道に配置させる様々な手段が知られている。
特許文献１には、窓ガラスの下端部を保持するキャリアプレートを案内し、ドアパネル内に上下方向に配置されるガイドレールを備えたウインドレギュレータが開示されている。特許文献１の図３のように、このガイドレールは、窓ガラスの取付部の湾曲した軌道と実質的に平行な形状に形成されている。そのため、窓ガラスをガイドプレートに合わせて下ろすだけで、窓ガラスとキャリアプレートとは当接し、窓ガラスとキャリアプレートの連結が容易に行える。
【０００５】
特許文献２には、ガイドレールを省略したウインドレギュレータであって、湾曲ガラスの取り付け時に、キャリアプレートを湾曲ガラスの取付部の軌道上に保持する係合部が設けられたキャリアプレートを備えたウインドレギュレータが開示されている。詳しくは、ある部材にこのキャリアプレートの係合部を係合させることによりキャリアプレートを保持する手段が開示されている。そして、そのある部材として、特許文献２の図１の湾曲ガラスを支持するガラスラン、特許文献２の図９の駆動装置、特許文献２の図１８のガラスランとほぼ平行にインナーパネルに設けられたガイド突起が開示されている。このように、このキャリアプレートの係合部を上記のある部材と係合させることにより、ケーブルと連結されたキャリアプレートの姿勢を安定させると同時に、キャリアプレートを湾曲ガラスの取付部の軌道上で保持する。そのため、湾曲ガラスとキャリアプレートの連結が容易に行える。
【先行技術文献】
【特許文献】
【０００６】
【特許文献１】特開平８−１９９９００号公報
【特許文献２】国際公開ＷＯ０２／０７５０９０
【発明の概要】
【発明が解決しようとする課題】
【０００７】
本発明は、湾曲ガラスに用いられるウインドレギュレータのキャリアプレートであって、湾曲ガラスの取り付けが容易なキャリアプレート、および、そのキャリアプレートを用いた湾曲ガラスの取り付け構造を提供することを目的とする。
【課題を解決するための手段】
【０００８】
本発明のキャリアプレートは、ウインドレギュレータに用いられ、湾曲ガラスを支持するものであって、板状の基板と、その基板表面に設けられた支持部とを備えており、前記支持部は前記基板に対して突出した状態で維持される支持脚と、その支持脚を基板と連結させるジョイントとからなり、前記支持脚は、前記基板に対して突出した状態で維持される支持状態と、キャリアプレートの上下移動の邪魔にならないよう収容される収容状態とを呈することを特徴としている。
【０００９】
本発明の湾曲ガラスの取り付け構造は、支持脚が前記ジョイントに対して回動自在に構成されており、収容状態は支持脚が基板に対して平行の状態である本発明のキャリアプレートと、モジュールプレートあるいはインナーパネルとからなり、前記モジュールプレートあるいはインナーパネルが、前記支持脚の先端と脱着自在に係合し、かつ、支持状態の支持脚の上方向または下方向への移動を拘束する係合部を備えていることを特徴としている。
【発明の効果】
【００１０】
（１）本発明のキャリアプレートは、ウインドレギュレータに用いられ、湾曲ガラスを支持するものであって、板状の基板と、その基板表面に設けられた支持部とを備えており、前記支持部は、前記基板に対して突出した状態で維持される支持脚と、その支持脚を基板と連結させるジョイントとからなるため、支持脚をドア部品（例えば、モジュールプレートあるいはドアインナーパネル）と当接させることにより、インナーケーブルの張力で引っ張られたキャリアプレートをドア部品から任意の距離（任意の空間位置）で保持させることができ、かつ、キャリアプレートの姿勢も維持させることができる。つまり、支持脚の長さを任意に設定することにより、湾曲ガラスのキャリアプレートとの取り付け部位（例えば、ガラスホルダーまたは湾曲ガラスの下端）の軌道上にキャリアプレートを保持させることができ、湾曲ガラスのキャリアプレートへの取り付けが容易である。
また、前記支持脚は、前記基板に対して突出した状態で維持される支持状態と、キャリアプレートの上下移動の邪魔にならないよう収容される収容状態とを呈するため、湾曲ガラスのキャリアプレートへの取り付け工程では支持状態とし、取り付け後では収容状態とすることができる。そのため、取り付け後、キャリアプレートを上下させても支持脚がその上下動の邪魔にならない。
【００１１】
（２）本発明のキャリアプレートであって、支持脚がジョイントに対して回動自在に構成されており、収容状態は前記支持脚が前記基板に対して平行である場合、支持脚をジョイントに対して回動させるだけで支持状態から収容状態への移行ができる。
（３）本発明のキャリアプレートであって、支持脚が伸縮自在に構成されており、支持状態は支持脚がジョイントから突出した状態であり、収容状態は前記支持脚がジョイント内に収納された状態である場合、支持脚を伸縮させるだけで支持状態から収容状態への移行ができる。
（４）本発明のキャリアプレートであって、支持部が基板の下部表面に設けられている場合、上から湾曲ガラスを当接させても、その重みによってキャリアプレートの姿勢が崩されにくい。
【００１２】
（５）本発明の湾曲ガラスの取り付け構造は、湾曲ガラスの上下移動を支持するウインドレギュレータに用いられるキャリアプレートと、モジュールプレートあるいはインナーパネルとの取り付け構造であって、支持脚が前記ジョイントに対して回動自在に構成されており、収容状態は支持脚が基板に対して平行である本発明のキャリアプレートと、モジュールプレートあるいはインナーパネルとからなり、前記モジュールプレートあるいはインナーパネルが、前記支持脚の先端と脱着自在に係合し、かつ、支持状態の支持脚の上方向または下方向への移動を拘束する係合部を備えているため、湾曲ガラスとキャリアプレートとを連結させた後、支持脚を係合部と係合させた状態でキャリアプレートを上方向または下方向に移動させたとき、支持脚は係合部によりその方向への移動を拘束され、回転する。それにより、支持脚はキャリアプレートの上下動の邪魔にならない収容状態となる。このように作業者が直に支持脚を回転させなくてもよく、一層、取り付け作業が容易である。
【図面の簡単な説明】
【００１３】
【図１】図１ａおよび図１ｂは、それぞれ本発明のキャリアプレートの一実施形態を示す側面図であり、支持状態と収納状態を示すものである。
【図２】図２ａおよび図２ｂは、それぞれ図１ａの表面図、裏面図である。
【図３】図３ａおよび図３ｂは、それぞれ本発明のキャリアプレートにガラスホルダーを取り付けた状態を示す裏面図、側面図である。
【図４】図４ａ、図４ｂはそれぞれ図１のジョイントを示す側面図、表面図であり；図４ｃ、図４ｄはそれぞれ図１のレバーを示す表面図、側面図であり；図４ｅ、図４ｆ、図４ｇはそれぞれ図１のキャリアプレートと係合される係合部の側面図である。
【図５】図５ａ〜図５ｅは、湾曲ガラスと図１のキャリアプレートとの取り付け工程を示す側面図である。
【図６】図６ａ、図６ｂは、それぞれ本発明のキャリアプレートの他の実施形態を示す側面図であり、支持状態と収納状態を示すものである。
【図７】図７ａ、図７ｃはそれぞれ図６の支持部の支持状態を示す側面図、表面図であり、図７ｂは収納状態を示す側面図である。
【発明を実施するための形態】
【００１４】
図１のキャリアプレート１０は、キャリアプレートの配置を湾曲ガラスの取付部の軌道上に保持させるため、キャリアプレートの基板に対して垂直に延びる支持脚１８を突出させた支持状態（図１ａ、参照）と、キャリアプレートの上下移動の邪魔にならないようその支持脚１８をキャリアプレートの基板に対して平行にした収納状態（図１ｂ、参照）とを呈することができる支持部１１を有している。
【００１５】
キャリアプレート１０は、図１、図２に示すように、板状の基板１５を備えており、支持部１１はその基板１５の下部表面に設けられている。ここで表面とは、ドアインナーパネル、あるいは、ドアインナーパネルに形成された穴を塞ぐモジュールプレートと対向した面を言い、図１での左側が表面となる。このキャリアプレート１０は、湾曲ガラスの上下動を支持するためのものであり、インナーケーブルＣ（想像線）の張力によりモジュールパネル方向（表面側）に付勢されている。また、このキャリアプレート１０は、図３に示すように、湾曲ガラスＷの下端に取り付けられたガラスホルダー１３と連結することにより、湾曲ガラスと連結するものであり、このガラスホルダー１３が湾曲ガラスの取付部となる。想像線のインナーケーブルＣは、キャリアプレート１０を上下に引っ張るものである。
【００１６】
支持部１１は、図２に示すように、基板１５の下部表面に設けられた筒状のジョイント１７と、そのジョイントの中心孔に挿入される軸芯２２を備えた支持脚１８とから構成されている。
【００１７】
ジョイント１７は、図４ａ、図４ｂに示すように、四角形状の筒体であり、断面が正方形の中心孔１７ａを備えている。この四角筒体の一面が基板の表面と結合しており、中心孔１７ａは基板１５に対して平行となっている。また、この正方形の中心孔１７ａの角１７ｂは、なだらかに湾曲するように、または、円弧状となるように加工されている。このジョイント１７は、多角形状の筒体でも、円形状の筒体でも、表面と結合されていれば、特にその形状は限定されない。また、中心孔も、正多角形であれば、特に限定されない。
【００１８】
支持脚１８は、図４ｃ、ｄに示すように、長方形の板状の平板部２１と、その平板部の基端に設けられ、その平板部に対して垂直に延びる軸芯２２とからなる。平板部２１の先端（図３ｃの右側）は、薄くなるように段部２３が形成されている。軸芯２２は、中心孔１７ａと係合できるように外形が正方形となっており、その角２２ａがなだらかに湾曲するように、または、円弧状となるように面取りされている。また、この正方形の辺の中心から正方形の中心に向かってスリット２２ｂが形成されている。この実施形態では、軸芯の形状が正方形であるため、対向する辺の中心を繋ぐように十字状のスリットが形成されている。つまり、軸芯２２は、外側の角が面取りされた４つの芯体２４から形成されており、それぞれの芯体２４はスリットに向かって弾性変形可能になっている。また、軸芯２２の先部（図４ｄの左側）には、外側に突出した係合突起部２５が形成されている。さらに、この実施形態では、軸芯２２の係合突起部２５より先端側は、細くなるように湾曲している。
【００１９】
この支持脚の軸芯２２の外形と、ジョイントの中心孔１７ａの断面形状とは、共に正方形であるため、軸芯２２を中心孔１７ａに挿入するとき、支持脚の平板部２１を基板１５に対して垂直とすること、および、支持脚の平板２１を基板１５に対して平行にすることができる。つまり、支持脚の平板部２１が基板１５に対して垂直となるようにして、支持脚の軸芯２２をジョイントの中心孔１７ａに挿入することにより、中心孔１７ａと軸芯２２とが係合し、支持脚の平板部２１はその状態で維持される。このとき、軸芯２２の係合突起部２５はジョイント１７の出口とクリップ係合し、支持脚１８はジョイント１７から外れないように構成されている。
【００２０】
一方、支持脚１８の平板部２１に、軸芯２２を中心として回転させるように外力が加わると、軸芯の芯体２４がスリット方向に弾性変形し、平板部２１は軸芯２２を中心に回転する。このとき軸芯２２は正方形状に形成されているため、平板部２１は９０度で係止する。これにより平板部２１は基板１５に対して平行となり、平板部２１が収納される。上述したように軸芯２２および中心孔１７ａの形状は正多角形でもよいが、その場合、一度に回転する角度が異なるため、支持脚の平板部と基板との設計に注意する必要がある。この場合軸芯２２のスリット２２ｂは、それぞれ多角形の辺の中心から多角形の中心に向かって形成されている。
ここでは、支持脚１８に軸芯２２を設けたが、ジョイント１７に軸芯２２を設け、支持脚１８にその軸芯２２を受ける軸受あるいは開口を設けるようにしてもよい。
【００２１】
次に、キャリアプレート１０の他の構造について図２を用いて説明する。キャリアプレート１０は、さらに、基板表面に突出して形成された、上から挿入されるインナーケーブルのエンドを係止するケーブル係止部３７と；その基板表面に斜め上方に突出して形成された、下から挿入されるインナーケーブルのエンドを係止するケーブルホルダ３８と；その基板表面に突出して形成され、下から挿入されるインナーケーブルを湾曲させながら斜め上向きのケーブルホルダ３８に導くガイド部３９と；基板の中央に形成された、ガラスホルダーをボルト等で固定するためのホルダー孔４０と；湾曲ガラスの下端に取り付けられるガラスホルダーをガイドし、支持するため上端に形成されたホルダー支持部４１と；前記基板の下部裏面に形成された、ガラスホルダーの下部を挿入する袋状のホルダー挿入部４２とを有している。
【００２２】
また、ガラスホルダー１３は、図３に示すように、下部に固定孔４４ａを備えた板状の本体４４と、その本体の上端に形成された上方に開放した断面Ｕ字状の窓ガラス保持部４５とを有している。窓ガラス保持部４５は、本体４４に対して裏面側および左右に突出したフランジとなっている。
このようなキャリアプレート１０およびガラスホルダー１３は、例えば、ナイロン、ポリアセタール（ＰＯＭ）、ポリエチレン（ＰＥ）等の合成樹脂から一体に成形される。
【００２３】
このように構成されたキャリアプレート１０は、図４ｅ、図５に示すように、縦方向に溝３１が形成された係合部３０が設けられたモジュールパネルＰに用いられる。符号３１ａは、溝３１の下底を示す。図５に、このモジュールパネルＰを用いたキャリアプレート１０と、ガラスホルダー１３に取り付けられた湾曲ガラスＷの取り付け工程を示す。
【００２４】
初めに、ドアインナーパネル（図示せず）にモジュールパネルＰを取り付ける（図５ａ）。次に、予め支持状態にしたキャリアプレート１０をモジュールパネルＰの係合部３０と係合させる（図５ｂ）。このとき、キャリアプレート１０は、インナーケーブルＣの張力によりモジュールパネルＰ方向に付勢されているため、平板部の段部２３が係合部の溝３１と係合し、キャリアプレート１０はモジュールプレートＰに対して一定の距離に保持される。つまり、係合部３０は湾曲ガラスの取付部（ガラスホルダー）の軌道をモジュールパネルＰに投影した線上に設けられ、係合部の溝３１は所定の高さに形成してある。そのため、支持脚の平板部２１を係合部の溝３１に挿入するだけでキャリアプレート１０をガラスホルダー１３の軌道上に配置することができ、上から降りてくるガラスホルダー１３とキャリアプレート１０との当接を容易に行うことができる。また、このとき、係合部の溝３１には下底３１ａが設けられているため、挿入された支持脚の平板部２１は溝３１から抜けず、キャリアプレート１０は安定して保持される。
【００２５】
湾曲ガラスＷが取り付けられたガラスホルダー１３を下降させて、ガラスホルダー１３とキャリアプレート１０とを当接させ、キャリアプレートのホルダー孔４０（図２）およびガラスホルダーの固定孔４４ａ（図３）をボルト等により連結する（図５ｃ）。このとき、湾曲ガラスＷをキャリアプレート１０に一時的でも支持させることになり、支持脚の平板部２１の回転を許すほどではないが、キャリアプレートの上部に湾曲ガラスＷの重みによる外力がかかる。しかし、キャリアプレート１０は、支持脚１８が基板の下部近辺に設けられているため、下方への力がかかっても、支持脚１８がその姿勢をしっかり維持し、キャリアプレート１０が裏面側に倒れる（お辞儀状態）ことを防止する。
そして、連結後、下降用インナーケーブルを引き下げるなどによりキャリアプレート１０を湾曲ガラスＷと共に強制的に下降させる。これにより、キャリアプレートの支持脚１８は係合部の溝３１の下底３１ａから上方に回転させられる力を受ける。そのため、支持脚１８は上方に９０度回転する（図５ｄ、ｅ）。
【００２６】
このように支持脚１８は、キャリアプレート１０と湾曲ガラスＷとを連結後、全体を下方に移動させるだけで、キャリアプレートの上下動の邪魔にならないようにキャリアプレートの基板１５と平行になる。そのため、支持脚１８の収納工程を省くことができる。
このキャリアプレート１０の支持部１１は、支持脚の平板部２１がキャリアプレートの基板１５に対して垂直となっているときに支持状態となり、支持脚の平板部２１がキャリアプレートの基板１５に対して平行となっているときに収容状態となる。
【００２７】
図５のように、キャリアプレート１０は、係合部３０、あるいは、支持脚１８との係合が可能な部材を備えたモジュールパネルＰ等に使用するのが好ましい。しかし、湾曲ガラスの取付部（ガラスホルダー）の軌道をモジュールパネルＰ等に投影した線上にマークを設け、そのマーク部に直接支持脚を当接させるようにしてもよい。また、図４ｆ、ｇのように、係合部３０は、溝３１の上側に底、または、上下に底が形成されるようにしてもよい。図４ｆの係合部３０の場合、湾曲ガラスＷを取り付けた後、キャリアプレート１０を上方に移動させることにより、支持脚１８は収容状態に至る。一方、図４ｇの係合部３０の場合、湾曲ガラスＷを取り付けた後、キャリアプレート１０を上下方向のいずれに移動させても支持脚１８は収容状態に至る。
【００２８】
図６のキャリアプレート５０は、キャリアプレートの配置をガラスホルダーの軌道上に保持させるため、キャリアプレートの基板に対して垂直に延びる支持脚５３を突出させた支持状態（図６ａ）と、キャリアプレートの上下移動の邪魔にならないようその支持脚５３をジョイント５２内に縮ませた収納状態（図６ｂ）とを呈することができる支持部５１を有している。他の構成は、図１のキャリアプレート１０と実質的に同じものである。
【００２９】
支持部５１は、図１の支持部１１と同様に、キャリアプレートの基板の下部表面に設けられるものであり、箱状のジョイント５２と、そのジョイントの表面開口部から突出した支持脚５３とから構成されている。
ジョイント５２は、図７に示すように、箱体のもので表面に開口部５２ａが形成されている。
支持脚５３は、開口部５２ａと同形状の柱体であり、下端および下部に開口部５２ａを挟むように係合突起５４ａが形成されており、上部にも係合突起５４ｂが形成されている。この形態では、支持脚５３の外形およびジョイントの開口部の形状を正方形としている。しかし、その形状は特に限定されない。
【００３０】
この支持部５１は、下端および下部の係合突起５４ａの間にジョイントの開口部５２ａの縁を挟むように引っ掛けて支持脚５３とジョイント５２とを係合させることにより、支持脚５３を突出した状態で保持できる（支持状態、図７ａ）。一方、上部の係合突起５４ｂがジョイント内に位置するように開口部５２ａと係合させることにより、支持脚５３をジョイント内に収納させることができる（収納状態、図７ｂ）。この支持状態と収納状態とは、係合突起５４ａあるいは係合突起５４ｂに開口部５２ａを乗り越えさせることにより相互移動可能となっている。
【００３１】
このように構成された図６のキャリアプレート５０は、モジュールパネル等のガラスホルダーの軌道を投影した線上に、所定の高さ突出させた支持脚５３を当接させることにより、インナーケーブル等によってモジュールパネル側に付勢されたキャリアプレート５０をモジュールプレート等に対して一定の距離に保持させることができる。それにより、キャリアプレートと湾曲ガラスとの連結を容易に行うことができる。
【００３２】
この支持部５１も、図１の支持部１１と同様に、キャリアプレートの下部に取り付けられているため、キャリアプレートのお辞儀（前ゴケ）を防止する。
この支持部５１を支持状態にして湾曲ガラスとキャリアプレートとを連結させ、その取り付け作業が完了した後は、キャリアプレートの下部裏面を、モジュールパネルの方に向けて叩くようにして外力を加えることにより、係合突起５４ａおよび係合突起５４ｂに開口部５２ａを乗り越えさせ、支持脚５３をジョイント５２内へ簡単に収納することができる。
【００３３】
この実施形態では、支持脚５３を一段としているが、２段以上の複数の折り畳み可能にすることにより、ジョイント５２の大きさを小さくすることができ、また、ウインドレギュレータの仕様によって支持脚５３の高さを調整できる。
【００３４】
本実施形態で示した図１の支持部１１および図６の支持部５１は、他の公知のキャリアプレートにも採用することができ、同様の作用を得ることができる。
【符号の説明】
【００３５】
Ｃ  インナーケーブル
Ｐ  モジュールパネル
Ｗ  湾曲ガラス
１０  キャリアプレート
１１  支持部
１３  ガラスホルダー
１５  基板
１７  ジョイント
１７ａ  中心孔
１７ｂ  中心孔の角
１８  支持脚
２１  平板部
２２  軸芯
２２ａ  軸芯の角
２２ｂ  スリット
２３  段部
２４  芯体
２５  係合突起部
３０  係合部
３１  溝
３１ａ  下底
３７  ケーブル係止部
３８  ケーブルホルダ
３９  ガイド部
４０  ホルダー孔
４１  ホルダー支持部
４２  ホルダー挿入部
４４  本体
４４ａ  固定孔
４５  窓ガラス保持部
５０  キャリアプレート
５１  支持部
５２  ジョイント
５２ａ  開口部
５３  支持脚
５４ａ、５４ｂ  係合突起
【図１】
2011074684.tif 000003
【図２】
2011074684.tif 000004
【図３】
2011074684.tif 000005
【図４】
2011074684.tif 000006
【図５】
2011074684.tif 000007
【図６】
2011074684.tif 000008
【図７】
2011074684.tif 000009